(57)【要約】      （修正有）【課題】多数の育苗穴を備えた一枚の状態で使用でき、必要に応じて手軽に二枚に分離できる可分式育苗トレイを提供する。【解決手段】縦仕切り部又は横仕切り部に育苗トレイを縦方向又は横方向に分離可能な分離部を設け、その分離部から二分できるようにした。夫々の育苗トレイの縦幅方向端部又は横幅方向端部に連結部を形成し、連結分離可能としてもよい。連結部は雄雌構造とすることができる。【選択図】図１
0003174418.tif 000002
【実用新案登録請求の範囲】
【請求項１】
播種、育苗ができる育苗穴が縦列と横列に多数個連設して成型された育苗トレイであって、隣り合う任意の縦列の間の縦仕切り部又は隣り合う任意の横列の間の横仕切り部に、それら縦仕切り部又は横仕切り部に沿って、育苗トレイを縦方向又は横方向に分離できる分離部を備え、その分離部からトレイを二分可能であることを特徴とする可分式育苗トレイ。
【請求項２】
前記可分式育苗トレイにおいて、分離部が、切込み溝、間隔をあけた穴、間隔をあけた切り込み、又はミシン目であることを特徴とする可分式育苗トレイ。
【請求項３】
請求項１又は請求項２記載の可分式育苗トレイにおいて、分離部が縦仕切り部又は横仕切り部の長手方向全長又は長手方向任意の数ヶ所に設けられたことを特徴とする可分式育苗トレイ。
【請求項４】
請求項１乃至請求項３のいずれか１項記載の可分式育苗トレイにおいて、分離部は育苗トレイを当該分離部から表側又は裏側に折り曲げることによって分離可能な構造であることを特徴とする可分式育苗トレイ。
【請求項５】
請求項１乃至請求項４のいずれか１項記載の可分式育苗トレイにおいて、分離部が育苗トレイの中央縦列の仕切り部又は中央横列の仕切り部に設けられ、育苗トレイを分離部から等しい又は略等しい列数に二分可能であることを特徴とする可分式育苗トレイ。
【請求項６】
播種、育苗ができる育苗穴が縦列と横列に多数個連設して成型された育苗トレイであって、二枚の育苗トレイを組み合わせることにより一枚の育苗トレイとすることができ、それぞれの育苗トレイは、一枚の育苗トレイの列数の１／２又は略１／２の列数であり、夫々の育苗トレイの縦幅方向端部又は横幅方向端部に連結部が形成され、当該連結部は二枚の育苗トレイの連結部を互いに連結可能であり、連結されている連結部を分離すると二枚の育苗トレイに分離可能であることを特徴とする可分式育苗トレイ。
【請求項７】
請求項６記載の可分式育苗トレイにおいて、連結部が育苗トレイの縦方向又は横方向の全長又は任意の数ヶ所に設けられたことを特徴とする可分式育苗トレイ。
【請求項８】
請求項６又は請求項７記載の可分式育苗トレイにおいて、連結部が二枚の育苗トレイを互いに連結・分離可能な雄雌構造であることを特徴とする可分式育苗トレイ。
【請求項９】
請求項８記載の可分式育苗トレイにおいて、雄雌構造が重ねることにより互いに連結できる凹凸構造、差し込むと互いに連結できる孔と突起の構造、互いにスライドさせると嵌合する溝と凸条の構造、又は互いにスライドさせると連結できるスライド構造であることを特徴とする可分式育苗トレイ。
【考案の詳細な説明】
【技術分野】
【０００１】
本願考案は育苗穴が縦横に多数列成型された可分式育苗トレイに関する。
【背景技術】
【０００２】
葉菜、果菜や花キ類などの植物は、直播して育成されることもあるが、多くの場合は、プラグ形状の育苗穴が縦横に多数列連結されたプラグトレイを使用し、その育苗穴に播種して育苗させた苗をポットに移植したり畑に定植したりしている。プラグトレイの苗を移植或いは定植（以下、両者をまとめて「移植」という。）するときは、プラグトレイを片腕で抱えるようにして持ち、他方の手で個々のプラグトレイから苗を抜き取って移植している。
【０００３】
プラグトレイはプラグ形状をした育苗穴が縦横に多数列連結されており、穴数が３２穴、７２穴、１０２穴、１２８穴、１６２穴、２００穴、２８８穴といった各種のものがある。穴数は用途に応じて使い分けられるが、花キ類には４０６穴など多穴のものが用いられている。穴数が多いプラグトレイは一度に多数本の苗を育苗できるが次のような問題もあった。
【０００４】
（１）例えば、４０６穴のプラグトレイは、図６に示すような縦長であり、その寸法は縦５５０ｍｍ、横２８０ｍｍ程もある。全ての育苗穴に培土を入れて育苗するとプラグトレイが非常に重くなるため片腕で持つのは負担が大きい。プラグトレイを地面や棚などに置いて作業することもできるが、その場合はプラグトレイを持ち上げたり下したりしなければならないため作業効性が悪い。
（２）プラグトレイで育苗された苗は、プラグトレイに入れた状態で問屋に卸されたり、農家に直販されたりするが、植物の種類や購入者によっては多数本の苗を必要としないことがある。そのときは、プラグトレイから必要な分だけポットに移し替えるとか、プラグトレイを切断するなどして販売しなければならないという面倒がある。
【０００５】
プラグトレイには育苗穴ごとに、又は列ごとに分割可能としたものがある（特許文献１〜３）。
【０００６】
特許文献１記載の農芸用苗床は、縦横に多数連結された有底凹陥部を仕切る仕切部分に切溝を設けて、切溝から有底凹陥部を一個ずつ切り離し可能としたものである。
【０００７】
特許文献２記載の植物栽培装置は、プラグトレイの縦横の連結部分に切取線を入れて、切取線からポットを切り離して一個ずつ分割できるようにしたものである。
【０００８】
特許文献３記載の育苗用トレイは、縦列の接続部に切り込みを入れて、その切り込み部分から縦列ごとに切り離しできるようにしたものである。
【先行技術文献】
【特許文献】
【０００９】
【特許文献１】実全昭４９−０４３４４０号公報
【特許文献２】特開２００４−２３６５５４号公報
【特許文献３】特開平１１−９１０７号公報
【考案の概要】
【考案が解決しようとする課題】
【００１０】
本考案の解決課題は、通常は多数の育苗穴を備えた一枚の状態で使用でき、必要に応じて手軽に二枚に分離できる可分式育苗トレイを提供することにある。
【課題を解決するための手段】
【００１１】
本考案の可分式育苗トレイは、播種、育苗ができる育苗穴が縦列と横列に多数個連設して成型された育苗トレイ、例えばプラグトレイであって、隣り合う任意の縦列の間の縦仕切り部又は隣り合う任意の横列の間の横仕切り部に、それら縦仕切り部又は横仕切り部に沿って、育苗トレイを縦方向又は横方向に分離できる分離部を備え、その分離部から二分できるようにしたものである。
【００１２】
前記分離部は、切込み溝、間隔をあけた穴、間隔をあけた切り込み、ミシン目といった分離し易い構造とすることができる。分離部は縦仕切り部又は横仕切り部の長手方向全長に設けることも、長手方向任意の数ヶ所に設けることもできる。分離部は育苗トレイを当該分離部から表側又は裏側に折り曲げると分離可能な構造とするのが良い。分離部は育苗トレイの中央縦列の仕切り部又は中央横列の仕切り部に設けて、育苗トレイを分離部から等しい又は略等しい列数に二分できるようにすることもできる。
【００１３】
本考案の可分式育苗トレイは、播種、育苗ができる育苗穴が縦列と横列に多数個連設して成型された育苗トレイ、例えばプラグトレイであって、二枚の育苗トレイを組み合わせることにより一枚の育苗トレイとすることができ、それぞれの育苗トレイは、一枚の育苗トレイの列数の１／２又は略１／２の列数であり、夫々の育苗トレイの縦幅方向端部又は横幅方向端部に連結部が形成され、当該連結部は二枚の育苗トレイの連結部を互いに連結可能であり、連結されている連結部を分離すると二枚の育苗トレイに分離可能としたものである。
【００１４】
前記連結部は育苗トレイの縦方向又は横方向の全長又は任意の数ヶ所に設けることができる。連結部は二枚の育苗トレイを互いに連結・分離可能な雄雌構造とすることができ、例えば重ねることにより互いに連結できる凹凸構造、差し込むと互いに連結できる孔と突起の構造、互いにスライドさせると嵌合する溝と凸条の構造、互いにスライドさせると連結できるスライド構造といった各種構造とすることができる。
【考案の効果】
【００１５】
本考案の可分式育苗トレイは次の効果がある。
（１）二分可能であるため、育苗穴への土入れ、播種等の作業時には一枚の状態で使用し、移植時や販売時には二分することができるため、一枚の状態では前記作業がし易くなり、作業性が向上し、一度に多数本を育苗可能である。二分すれば軽量になって育苗中の育苗トレイの搬送、移動が容易になって作業者への負担が軽減され、適量数の苗を販売できるので無駄が少なくなる。
（２）分離部を育苗トレイの長手方向全長に設ければ二分し易くなる。
（３）連結部を備えた二枚の育苗トレイの連結部を連結して一枚の育苗トレイにすれば前記土入れ、播種等の作業が容易になり、作業性が向上し、移植時や苗の販売時に連結部の連結を外して二枚に分離すれば、前記作業者の負担の軽減、適量数の販売による苗の無駄を少なくすることができる。
【図面の簡単な説明】
【００１６】
【図１】本考案の可分式育苗トレイの一例を示す斜視図。
【図２】図１に示す可分式育苗トレイを内側に折り曲げて二分する場合の斜視図。
【図３】本考案の可分式育苗トレイの連結部を差し込み突起と差し込み孔にした場合の例であって、（ａ）は差し込み片を差し込み孔に差し込む前の斜視図、（ｂ）は差し込み片を差し込み孔に差し込む途上の断面図。
【図４】本考案の可分式育苗トレイの連結部を嵌合凸部と嵌合凹部にした場合の例であって、（ａ）は嵌合突起を嵌合凹部に嵌合する前の斜視図、（ｂ）は（ａ）のＡ―Ａ断面箇所の図であって嵌合凸部を嵌合凹部に嵌合する途上の断面図。
【図５】本考案の可分式育苗トレイの連結構造の異なる例であり、（ａ）はスライド式連結構造の一例を示す部分説明図、（ｂ）は嵌合式連結構造の一例を示す部分説明図。
【図６】従来のプラグトレイの一例を示す斜視図。
【考案を実施するための形態】
【００１７】
（実施形態１）
本考案の可分式育苗トレイの実施形態の一例について、図１及び図２を参照して説明する。図１、２の可分式育苗トレイ１は長方形であり、下方に向けて先細りのプラグ状の有底穴（育苗穴）２が縦横に複数設けられて縦仕切り部３、横仕切り部４で一個ずつ区画されている。図示した可分式育苗トレイ１は横幅方向中央部に区画部５が設けられ、区画部５に表面よりも一段窪んだ細長凹部５ａが一例に三本形成されている。可分式育苗トレイ１の全周には斜め下に向けて裾広がりの周縁６が設けられている。
【００１８】
本考案では、前記構造の可分式育苗トレイ１の区画部５に分離部７が形成されている。図１の分離部７は育苗トレイの縦方向（長寸方向）に沿って設けた切込み溝８である。切込み溝８は可分式育苗トレイ１の長寸方向の一方の周縁６の下端６ａから他方の周縁６の下端６ｂまで一連に又は断続的に形成されている。切込み溝８は可分式育苗トレイ１の表面側に設けることも、裏面側に設けることも、表裏両面に設けることもできる。切込み溝８の深さはそれを設ける箇所（図１では区画部５）の厚さによっても異なるが、その形成箇所の厚さに対して３０％〜８０％程度とするのがよい。切込み溝８が形成箇所の厚さに対して３０％よりも浅いと可分式育苗トレイ１を分離（二分）しにくくなり、８０％よりも深いと可分式育苗トレイ１を持ち上げたときに折れるおそれがある。
【００１９】
前記育苗穴２の底面には排水孔９が開口されている。図１、２に示す可分式育苗トレイ１は縦５５０ｍｍ、横２８０ｍｍであり、区画部５の両側に２０３穴ずつ、合計４０６穴の育苗穴２が形成されているが、可分式育苗トレイ１の縦、横の寸法は前記寸法よりも大きくても小さくてもよく、育苗穴２の縦列、横列の本数も、育苗穴２の個数も、図示したものより多くても少なくてもよい。育苗穴２の形状も丸穴とか他の多角形穴等でもよい。前記区画部５、細長凹部５ａはあっても無くてもよい。
【００２０】
前記分離部７は細かな間隔で形成した多数の孔、ミシン目等であってもよく、分離し易い構造であればそれ以外の構造であってもよい。分離部７は縦仕切り部３又は横仕切り部４の長寸方向全長に設けることも、長寸方向任意の数ヶ所に設けることもできる。分離部７は可分式育苗トレイ１を当該分離部７から表側又は裏側に折り曲げたり、ひねったりすると分離可能な構造であればよい。場合によってはカッターとか鋏等の刃物で容易に切断し易い構造とすることができる。材質も切断し易いものにすることができる。
【００２１】
（使用例）
図１に示す可分式育苗トレイ１は、既存の育苗トレイと同様に育苗穴２内に培土を入れ、播種し、成長した苗を育苗穴２から取り出して移植したり、出荷したりすることができる。播種し、育苗中は図１の状態で使用し、移植或いは出荷時には、可分式育苗トレイ１を切込み溝８（分離部７）から図２に示すよう表側に谷折りするか、又は裏側に山折りすることによって切込み溝８から分断して可分式育苗トレイ１を横幅方向に二分することができる。二分された可分式育苗トレイ１は幅が狭く、軽量になるので、移植時に作業者が片腕の二の腕（肘から手首までの間）の上に載せて作業することができ、作業し易くなり、労力負担も軽減する。また、二分された可分式育苗トレイ１は育苗本数が二分する前の半分又は略半分になるので、無駄な出荷が少なくなる。
【００２２】
（実施形態２）
本考案の可分式育苗トレイ１の他の実施形態について、図３（ａ）（ｂ）を参照して説明する。この可分式育苗トレイ１は、図１に示すプラグトレイを予め二分しておき、夫々の分割トレイ１０ａ、１０ｂに連結部１１を形成したものであり、一方の分割トレイ（上側トレイ）１０ａの連結部１１は下向きに突設された二本一組の差し込み突起１２であり、他方の分割トレイ（下側トレイ）１０の連結部１１は前記差し込み突起１２を差込可能な差し込み孔１３としてある。前記差し込み突起１２を前記差し込み孔１３に差し込むことによって、両分割トレイ１０ａ、１０ｂを連結可能としてある。差し込み突起１２は３本以上を一組とすることもできる。この場合、差し込み孔１３は差し込み突起１２と同数又はそれよりも多く形成しておく。差し込み突起１２は丸棒、角棒、板状（片状）といった各種形状にすることができる。差し込み孔１３の形状は差し込み突起１２の形状に合わせて形成する。
【００２３】
図３（ａ）（ｂ）に示す分割トレイ１０ａ、１０ｂは、縦５５０ｍｍ、横１４０ｍｍの長方形（略長方形）である。差し込み突起１２、差し込み孔１３は夫々の分割トレイ１０ａ、１０ｂの短寸方向両端部と中間部の３ヶ所に設けられている。差し込み突起１２、差し込み孔１３の形成箇所や形成数は可分式育苗トレイ１の大きさや面積などに応じて任意に設定することができる。
【００２４】
上側トレイ１０ａ及び下側トレイ１０ｂに設けられた育苗穴２の形状は前記実施形態１と同様であり、夫々のトレイ１０ａ、１０ｂに形成された育苗穴２の数や列は同数とすることも異なる数とすることもできる。
【００２５】
（使用例）
前記差し込み孔１３に差し込み突起１２を差し込んで、上側トレイ１０ａと下側トレイ１０ｂを連結して一枚にし、土入れや播種、覆土を行って育苗する。このとき、差し込み孔１３に差し込んだ差し込み突起１２は差込後の先端側（突出部）を横に折り曲げたり、広げたりして抜けにくくすることもできる。移植可能なまで生育した苗を移植するときは、差し込み孔１３から差し込み突起１２を引き抜き、上側トレイ１０ａと下側トレイ１０ｂを二分することができる。二分した場合の作業、出荷については前記使用例と同様である。
【００２６】
（実施形態３）
本考案の可分式育苗トレイ１の他の実施形態について、図４（ａ）（ｂ）を参照して説明する。この実施形態の可分式育苗トレイ１は、実施形態２と同様に、プラグトレイを予め二分しておき、上側トレイ１０ａの連結部１１を嵌合凸部１６、下側トレイ１０ｂの連結部１１を嵌合凹部１７とし、その嵌合凸部１６を嵌合凹部１７に嵌合（押し込み）可能としたものである。前記嵌合凸部１６、嵌合凹部１７の数、形状、形成箇所等は分割トレイ１０ａ、１０ｂのサイズや強度に応じて任意に設計することができる。
【００２７】
一例として図４（ａ）（ｂ）に示すトレイ１０ａ、１０ｂは、縦５５０ｍｍ、横１４０ｍｍの長方形（略長方形）である。上側トレイ１０ａの嵌合凸部１６及び下側トレイ１０ｂの嵌合凹部１７は、夫々の連結部１１にその長寸方向に沿って間隔をあけて設けられている。この実施形態では、嵌合凸部１６及び嵌合凹部１７を３組設けてあるが、この数は３組より多くても少なくてもよい。嵌合凸部１６、嵌合凹部１７の数は分割トレイ１０ａ、１０ｂの大きさや面積などに応じて任意に設定することができる。この実施形態では、夫々の分割トレイ１０ａ、１０ｂの嵌合凸部１６、嵌合凹部１７を、両トレイに形成された育苗穴２と同じ形状としてあるが、育苗穴２と異なる形状、サイズとすることもできる。
【００２８】
上側トレイ１０ａ及び下側トレイ１０ｂに設けられた育苗穴２の形状は前記実施形態１及び実施形態２と同様である。夫々の分割トレイ１０ａ、１０ｂに形成された育苗穴２の数、列数は同数であっても、異なる数であってもよい。
【００２９】
前記嵌合凸部１６、嵌合凹部１７は可能であれば上側トレイ１０ａの育苗穴２と下側トレイ１０ｂの育苗穴２を利用することもできる。この場合は、一方のトレイ１０ａの育苗穴２を他方のトレイ１０ｂの育苗穴２に押し込むことにより両トレイ１０ａ、１０ｂを連結することもできる。
【００３０】
（使用例）
上側トレイ１０ａの嵌合凸部１６を下側トレイ１０ｂの嵌合凹部１７に押し込んで、両トレイを連結して一枚にし、土入れや播種、覆土を行って育苗する。移植可能なまで生育した苗を移植するときは、嵌合凸部１６を嵌合凹部１７から抜きとって、上側トレイ１０ａと下側トレイ１０ｂを二分することができる。二分した場合の作業、出荷については前記使用例と同様である。
【００３１】
（実施形態４）
本考案の可分式育苗トレイ１の他の実施形態について、図５（ａ）を参照して説明する。この実施形態は一方のトレイ１０ａの側面に凹溝２０を、他方のトレイ１０ｂの側面に凸条２１を設け、凹溝２０に凸条２１を嵌め込むことにより、両分割トレイ１０ａ、１０ｂを連結することができ、前記嵌め込みを外すことにより両分割トレイ１０ａ、１０ｂを分離可能としてある。凹溝２０及び凸条２１はトレイ１０ａ、１０ｂの長寸方向全長に設けることも、間隔をあけて数ヶ所に設けることもできる。図５（ａ）には連結構造しか記載していないが、育苗穴２の配置、列数といった構成で実施例１〜３と共通することについてはそれらと同じ構成とすることができる。
【００３２】
（実施形態５）
本考案の可分式育苗トレイ１の他の実施形態について、図５（ｂ）を参照して説明する。この実施形態は一方のトレイ１０ａの側面に上向きコ字状の下嵌合溝２２を、他方のトレイ１０ｂの側面に下向きコ字状の上嵌合溝２３を設け、前記下嵌合溝２２に上嵌合溝２３を嵌め込むことにより両分割トレイ１０ａ、１０ｂを連結することができ、両下嵌合溝２２、２３の嵌め込みを外すことにより両分割トレイ１０ａ、１０ｂを分離可能としてある。下嵌合溝２２、上嵌合溝２３は分割トレイ１０ａ、１０ｂの長寸方向全長に設けることも、間隔をあけて数ヶ所に設けることもできる。図５（ｂ）には連結構造しか記載していないが、育苗穴２の配置、列数といった構成で実施例１〜４と共通することについてはそれらと同じ構成とすることができる。
【００３３】
（使用例）
実施形態４〜６の可分式育苗トレイ１のいずれも、前記のようにして二分した場合の作業、出荷については前記実施形態１〜３の使用例と同様である。
【００３４】
本考案における可分式育苗トレイ１は、播種、育苗時は汎用の可分式育苗トレイ１と同様に使用でき、移植作業時、出荷時に二分できる構造であれば、前記した以外の分離構造、連結構造とすることもできる。
【符号の説明】
【００３５】
１    可分式育苗トレイ
２    育苗穴
３    縦仕切り部
４    横仕切り部
５    区画部
５ａ  細長凹部
６    周縁
６ａ、６ｂ    下端
７    分離部
８    切込み溝
９    排水孔
１０ａ  一方の分割トレイ（上側トレイ）
１０ｂ  他方の分割トレイ（下側トレイ）
１１    連結部
１２    差し込み突起
１３    差し込み孔
１６    嵌合凸部
１７    嵌合凹部
２０    凹溝
２１    凸条
２２    下嵌合溝
２３    上嵌合溝
【図１】
0003174418.tif 000003
【図２】
0003174418.tif 000004
【図３】
0003174418.tif 000005
【図４】
0003174418.tif 000006
【図５】
0003174418.tif 000007
【図６】
0003174418.tif 000008
【手続補正書】
【提出日】平成24年1月18日(2012.1.18)
【手続補正１】
【補正対象書類名】実用新案登録請求の範囲
【補正対象項目名】請求項２
【補正方法】変更
【補正の内容】
【請求項２】
請求項１記載の可分式育苗トレイにおいて、分離部が、切込み溝、間隔をあけた穴、間隔をあけた切り込み、又はミシン目であることを特徴とする可分式育苗トレイ。